(57)【要約】スライダー本体（１０）と、スライダー本体（１０）に設けられる把持部材（２０）とを備え、使用者が把持部材（２０）を把持してスライダー本体（１０）を一対のファスナーエレメント列に沿ってスライドさせることにより、ファスナーエレメント列同士を噛合または分離可能なスライドファスナー用スライダー（１）であって、把持部材（２０）は、スライダー本体（１０）に対して、スライド方向（Ａ）と直交する方向に分離可能に固定され、スライダー本体（１０）の全周からはみ出す大きさとされている。
2017150700.tif 000002
【特許請求の範囲】
【請求項１】
スライダー本体と、前記スライダー本体に設けられる把持部材とを備え、  使用者が前記把持部材を把持して前記スライダー本体を一対のファスナーエレメント列に沿ってスライドさせることにより、前記ファスナーエレメント列同士を噛合または分離可能なスライドファスナー用スライダーであって、  前記把持部材は、前記スライダー本体に対して、スライド方向と直交する方向に分離可能に固定され、前記スライダー本体の全周からはみ出す大きさとされているスライドファスナー用スライダー。
【請求項２】
前記スライダー本体は、表面から起立する突出部を備え、  前記把持部材は、内周面が前記突出部の先端部と係合する凹部を備える請求項１に記載のスライドファスナー用スライダー。
【請求項３】
前記突出部は、複数設けられ、それぞれが単一の前記凹部の内周面に係合するように構成されており、  前記凹部の開口形状を非円形状とすることにより、前記把持部材が前記スライダー本体に対して回転不能とされている請求項２に記載のスライドファスナー用スライダー。
【請求項４】
前記スライダー本体は、単一の前記突出部を取り囲むように配置された保持部を更に備え、  前記把持部材は、前記凹部を取り囲んで前記保持部とそれぞれ係合するように配置された係合部を更に備えており、  前記突出部の先端部が前記凹部に嵌合する請求項２に記載のスライドファスナー用スライダー。
【請求項５】
前記係合部は、円弧状に形成され、前記保持部の外周面と係合するように仮想円に沿って等間隔に複数配置されている請求項４に記載のスライドファスナー用スライダー。
【発明の詳細な説明】
【技術分野】
【０００１】  本発明は、スライドファスナー用スライダーに関し、より詳しくは、一対のファスナーエレメント列に沿ってスライドさせることにより、ファスナーエレメント列同士を噛合または分離するスライドファスナー用スライダーに関する。
【背景技術】
【０００２】  従来のスライドファスナー用スライダーとして、例えば、特許文献１に開示された構成が知られている。このスライドファスナー用スライダーは、ファスナーテープの一側縁に配列されたファスナーエレメントに往復動作自在に取り付けられるスライダー本体と、このスライダー本体に突設される引手とを備えており、引手がヒンジ部を介してスライダー本体に設けられている。【０００３】  このスライドファスナー用スライダーは、使用時には引手を立ち上げて使用することができ、使用後は引手が遊動しないようにスライダー本体に保持することができる。
【先行技術文献】
【特許文献】
【０００４】
【特許文献１】特開平１１−２７６２１６号公報
【発明の概要】
【発明が解決しようとする課題】
【０００５】  ところが、上記従来のスライドファスナー用スライダーは、使用する度に引手を着脱する必要があることから、作業が煩雑になるだけでなく、引手の着脱を繰り返すことにより保持部が劣化すると、引手の保持が困難になって不意に遊動し易くなるという問題があった。また、引手をスライダー本体に保持した状態は、構成自体はコンパクトになる一方で意匠性に乏しく、この点でも改良の余地があった。【０００６】  そこで、本発明は、操作性を良好にしつつ意匠性の向上が容易なスライドファスナー用スライダーの提供を目的とする。
【課題を解決するための手段】
【０００７】  本発明の前記目的は、スライダー本体と、前記スライダー本体に設けられる把持部材とを備え、使用者が前記把持部材を把持して前記スライダー本体を一対のファスナーエレメント列に沿ってスライドさせることにより、前記ファスナーエレメント列同士を噛合または分離可能なスライドファスナー用スライダーであって、前記把持部材は、前記スライダー本体に対して、スライド方向と直交する方向に分離可能に固定され、前記スライダー本体の全周からはみ出す大きさとされているスライドファスナー用スライダーにより達成される。このスライドファスナー用スライダーにおいて、前記スライダー本体は、表面から起立する突出部を備えることが好ましく、前記把持部材は、内周面が前記突出部の先端部と係合する凹部を備えることが好ましい。【０００８】  前記突出部は、複数設けられ、それぞれが単一の前記凹部の内周面に係合するように構成されていることが好ましく、前記凹部の開口形状を非円形状とすることにより、前記把持部材が前記スライダー本体に対して回転不能とされていることが好ましい。【０００９】  あるいは、前記スライダー本体は、単一の前記突出部を取り囲むように配置された保持部を更に備え、前記把持部材は、前記凹部を取り囲んで前記保持部とそれぞれ係合するように配置された係合部を更に備えることが好ましく、前記突出部の先端部が前記凹部に嵌合することが好ましい。この構成において、前記係合部は、円弧状に形成され、前記保持部の外周面と係合するように仮想円に沿って等間隔に複数配置されていることが好ましい。
【発明の効果】
【００１０】  本発明によれば、操作性を良好にしつつ意匠性の向上が容易なスライドファスナー用スライダーを提供することができる。
【図面の簡単な説明】
【００１１】
【図１】本発明の一実施形態に係るスライドファスナー用スライダーの斜視図である。
【図２】図１に示すスライドファスナー用スライダーの分解斜視図である。
【図３】図１に示すスライドファスナー用スライダーの要部分解斜視図である。
【図４】本発明の他の実施形態に係るスライドファスナー用スライダーの斜視図である。
【図５】本発明の更に他の実施形態に係るスライドファスナー用スライダーの分解側面図である。
【図６】図５に示すスライドファスナー用スライダーの要部を示す平面図である。
【図７】図５に示すスライドファスナー用スライダーの他の要部を示す底面図である。
【発明を実施するための形態】
【００１２】  以下、本発明の実施の形態について、添付図面を参照して説明する。図１は、本発明の一実施形態に係るスライドファスナー用スライダーの斜視図であり、図２は、このスライドファスナー用スライダーを分解した状態を示す斜視図である。図１および図２に示すように、スライドファスナー用スライダー１は、スライダー本体１０と、スライダー本体１０に着脱可能に固定される把持部材２０とを備えている。スライダー本体１０および把持部材２０の材料は特に限定されないが、合成樹脂や金属材料等を例示することができる。
【００１３】  図３は、スライダー本体１０を分解した状態を示す斜視図である。図２および図３に示すように、スライダー本体１０は、下部材３０および上部材４０から構成されている。下部材３０は、上面から起立する挿入部３１を備えている。挿入部３１の上部は、中央部が切り欠かれて一対の差込片３１ａ，３１ｂが形成されており、各差込片３１ａ，３１ｂの側面にはそれぞれ係合溝３１ｃ，３１ｄが形成されている。
【００１４】  上部材４０は、上面の周縁部からそれぞれ起立する複数の突出部４１，４２，４３，４４が設けられており、各突出部４１，４２，４３，４４の先端部４１ａ，４２ａ，４３ａ，４４ａは、外方に膨出するように形成されている。上部材４０の中央には溝部４５が形成されており、溝部４５の底面に貫通孔４６が形成されている。
【００１５】  図３に示す下部材３０は、挿入部３１を上部材４０の貫通孔４６に挿入することにより、差込片３１ａ，３１ｂが貫通孔４６を通過して溝部４５に収容され、係合溝３１ｃ，３１ｄが上部材４０と係合する。これにより、図２に示すように、下部材３０と上部材４０とが一体化され、スライダー本体１０が構成される。このスライダー本体１０の機能は、従来のスライダーと同様であり、不図示の一対のファスナーエレメント列に沿って、図２の矢示Ａ方向にスライドさせることにより、ファスナーエレメント列同士を噛合または分離することができる。
【００１６】  図２に示すように、把持部材２０は、底面（図２では上側の面）に凹部２１が形成されている。凹部２１は、平面視において角部に丸みを有する三角形状に形成されており、内周面２１ａが、スライダー本体１０の各突出部４１〜４４の先端部４１ａ〜４４ａと密着することにより、把持部材２０がスライダー本体１０に対して分離可能に固定される。把持部材２０は、スライダー本体１０に取り付けた状態で、スライダー本体１０の全周からはみ出す大きさとされている。
【００１７】  上記の構成を備えるスライドファスナー用スライダー１によれば、把持部材２０が、スライダー本体１０に不動に固定されるため、従来の引手のようにスライダー本体に対して揺動するおそれがなく、美観を良好にすることができる。
【００１８】  また、把持部材２０は、スライダー本体１０のスライド方向Ａに対して直交する方向に装着されるため、スライダー本体１０のスライド操作による把持部材２０の脱落を防止することができる。また、スライダー本体１０に対する把持部材２０の装着または分離は、各突出部４１〜４４の先端部４１ａ〜４４ａと凹部２１の内周面２１ａとの摺動により行われることから、把持部材２０の取り換えを容易に行うことができる。したがって、把持部材２０として、例えば、種々のキャラクター、マーク、動植物、乗り物、建物等の立体形状や、宝石・貴金属等の装飾品としたものを複数用意することで、スライダー本体１０を目立たないように隠しつつ、把持部材２０をアクセサリーとして機能させることができ、意匠性を高めることができる。
【００１９】  また、各突出部４１〜４４の先端部４１ａ〜４４ａは、凹部２１の三角形状の各辺に対応する内周面２１ａにそれぞれ密着して固定されることから、把持部材２０が凹部２１の開口面に沿って回動するおそれがない。したがって、把持部材２０がデザイン的に方向性を有する場合であっても、装着中に向きが変化するのを確実に防止することができ、意匠性を良好に維持することができる。把持部材２０をスライダー本体１０に対して回転不能にするための凹部２１の開口形状としては、必ずしも三角形状に限定されるものではなく、例えば、多角形状や楕円形状などの非円形状であってもよい。各突出部４１〜４４は、把持部材２０が回動不能となるように、凹部２１の形状に合わせて、スライダー本体１０の上面における適宜の箇所に適宜の数を配置することができる。
【００２０】  また、本実施形態のように、単一の凹部２１に対して複数の突出部４１〜４４を装着する構成にすると、凹部２１内に形成される各突出部４１〜４４の隙間を利用した各突出部４１〜４４の撓み変形により、先端部４１ａ〜４４ａを凹部２１の内周面２１ａに適度な力で密着させることができる。したがって、スライダー本体１０に対する把持部材２０の装着および分離を容易に行うことができる、但し、突出部を単一として、突出部の外周全体が凹部２１の内周面２１ａに密着するように構成することも可能である。
【００２１】  また、把持部材２０は、図４に示すように、複数の分割体２１，２２を着脱可能に組み合わせた構成であってもよい。例えば、把持部材２０を、キャラクターのパーツ毎に分割することができ、あるいは、把持部材２０が電子機器を内蔵する場合には、電源部、操作部（入力部）、表示部（発光部）等のモジュール単位で分割することができる。把持部材２０をこのように構成した場合には、使用者の好みに合わせて部分的に交換可能にすることができ、把持部材２０のバリエーションを容易に高めることができる。各分割体２１，２２の結合構造は特に限定されないが、例えば、スライダー本体１０と把持部材２０との結合構造と同様に、一方に突出部を形成し、他方に凹部を形成した構成にすることができる。
【００２２】  図５は、本発明の更に他の実施形態に係るスライドファスナー用スライダーを分解した状態を示す側面図である。図５において、図１と同様の構成部分には、同一の符号を付している。
【００２３】  図５に示すスライドファスナー用スライダ１は、図１等に示すスライドファスナー用スライダー１と同様に、下部材３０および上部材４０から構成されるスライダー本体１０と、スライダー本体１０に着脱可能に固定される把持部材２０とを備えている。下部材３０および上部材４０は、差込片３１ａ，３１ｂを有する挿入部３１を、貫通孔４６に挿入することにより一体化される。
【００２４】  図６は、図５に示す上部材４０の平面図である。図５および図６に示すように、上部材４０は、上面から起立する単一の突出部４７を備えており、この突出部４７を取り囲むように、平面視円弧状の保持部４８が仮想円に沿って設けられている。突出部４７は、先端縁部が面取りされた平面視矩形状のブロック形状を有している。また、保持部４８の先端部４８ａは、外方に膨出するように形成されている。
【００２５】  図７は、図５に示す把持部材２０の底面図である。図５および図７に示すように、把持部材２０の底面には、突出部４７の平面形状と略同じ形状・大きさの開口を有する凹部２１が形成されており、凹部２１を取り囲むように複数の係合部２２が設けられている。各係合部２２は、底面視円弧状に形成され、先端部２２ａが内方に膨出するように形成されており、上記の保持部４８が配置される仮想円よりも若干大径の仮想円に沿って等間隔に配置されている。この仮想円の中心は、底面が円形状の把持部材２０の中心と略一致している。
【００２６】  このように構成されたスライドファスナー用スライダ１は、把持部材２０の係合部２２を上部材４０の保持部４８に外嵌すると、先端部２２ａ，４８ａ同士が互いに乗り越えると共に、突出部４７の先端部が凹部２１に挿入される。こうして、係合部２２が保持部４８の外周面に係合すると共に、突出部４７の先端部外面が凹部２１の内面に密着して嵌合されるので、把持部材２０をスライダー本体１０に着脱可能に固定することができる。
【００２７】  図５から図７に示すスライドファスナー用スライダ１は、スライダー本体１０に対する把持部材２０の装着が、突出部４７と凹部２１との嵌合に加えて、それぞれ円弧状である保持部４８と係合部２２との係合により行われるため、装着強度を高めることができ、把持部材２０の着脱を繰り返しても、装着状態を良好に維持することができる。一方、凹部２１に対する突出部４７の嵌合深さは、係合部２２および保持部４８の高さ調節により適宜の深さに設定可能であり、突出部４７が凹部２１に深く嵌まり込んで把持部材２０の取り外しが困難になるのを防止することができる。
【符号の説明】
【００２８】  １  スライドファスナー用スライダー１０  スライダー本体２０  把持部材２１  凹部２１ａ  内周面２２  係合部４１〜４４  突出部４１ａ〜４４ａ  先端部４７  突出部４８  保持部
【図１】
2017150700.tif 000003
【図２】
2017150700.tif 000004
【図３】
2017150700.tif 000005
【図４】
2017150700.tif 000006
【図５】
2017150700.tif 000007
【図６】
2017150700.tif 000008
【図７】
2017150700.tif 000009
【国際調査報告】
2017150700.tif 000010
2017150700.tif 000011
2017150700.tif 000012
2017150700.tif 000013